(57)【要約】【課題】相手方の端子金具等の挿入による電気接触部の変形を防止し、相手方の端子金具との電気的な接続を確実に維持できる端子金具を提供する。【解決手段】端子金具１は電気接触部２と変位規制手段４とを備えている。電気接触部２は筒部２１と弾性片２２と規制突部２３とを備えている。筒部２１は底壁２４と連結壁２５ａ、２５ｂとを備え、連結壁２５ａ、２５ｂの上部２９ａ、２９ｂ同士が互いに重なり合って筒状に形成される。変位規制手段４は、上部２９ａに設けられ上部２９ａから上部２９ｂに向かって突出した突出片４１と、上部２９ｂに設けられ突出片４１が挿入される貫通孔４２とを備えている。突出片４１が貫通孔４２に挿入されると互いに重なり合う上部２９ａ、２９ｂが互いに離れる方向へ連結壁２５ａ、２５ｂが変位するのが規制されて電気接触部２の変形が防止される。【選択図】図４
2008198475.tif 000002
【特許請求の範囲】
【請求項１】
相手方の端子金具が挿入される筒部と、
前記筒部内に設けられかつ前記相手方の端子金具を前記筒部の一つの内面に向かって付勢してこの一つの内面との間に挟む弾性片と、
前記筒部の前記一つの内面と相対する他の内面から凸に設けられかつ前記弾性片と当接して前記弾性片の過度の弾性変形を規制する規制突部と、を有する電気接触部を備えた端子金具において、
前記筒部が、壁と、前記壁に連なりかつ前記壁から互いに反対方向に延びた一対の連結壁と、を備え、前記一対の連結壁同士が互いに近づく方向に折り曲げられかつ前記一対の連結壁の先端部同士が互いに重なり合って筒状に形成されるとともに、
互いに重なり合う前記一対の連結壁の先端部が互いに離れる方向に前記連結壁が変位するのを規制する変位規制手段を備えたことを特徴とする端子金具。
【請求項２】
前記変位規制手段が、前記一対の連結壁の一方の連結壁の先端部に設けられかつ前記一方の連結壁の先端部から他方の連結壁の先端部に向かって突出した突出片と、前記他方の連結壁の先端部に設けられかつ前記突出片が挿入される孔と、を備えたことを特徴とする請求項１記載の端子金具。
【請求項３】
前記一方の連結壁の先端部が前記他方の連結壁の先端部に重ねられて、前記突出片が前記筒部の前記他の内面から前記一つの内面に向かって突出するように前記孔に挿入されることを特徴とする請求項２記載の端子金具。
【発明の詳細な説明】
【技術分野】
【０００１】
本発明は、相手方の端子金具が挿入されて保持される電気接触部を備えた端子金具に関する。
【背景技術】
【０００２】
自動車には多くの電子機器が搭載されており、電子機器はワイヤハーネスを介して自動車や他の電子機器と接続されている。ワイヤハーネスと電子機器とは、それぞれが備えたコネクタ同士が嵌合することによって接続されてワイヤハーネスは電子機器に電力や制御信号等を伝達する。
【０００３】
このようなコネクタ同士の一方のコネクタは、雄型の端子金具と、該雄型の端子金具を収容するコネクタハウジングと、を備えている。他方のコネクタは、雌型の端子金具と、該雌型の端子金具を収容するコネクタハウジングと、を備えている。雌型の端子金具は、導電性の一枚の板金を折り曲げる等して形成され、雄型の端子金具が挿入される電気接触部を備えている（例えば、特許文献１参照）。コネクタ同士が互いに嵌合することによって、端子金具同士は電気的に接続する。
【０００４】
図５は、従来の雌型の端子金具１０１の断面図を示している。電気接触部１０２は、雄型の端子金具が挿入される筒部１２１と、筒部１２１内に設けられかつ雄型の端子金具を筒部１２１の図５下側の内面１２７ａ（以下、底面１２７ａとよぶ）に向かって付勢して底面１２７ａとの間に挟む弾性片１２２と、底面１２７ａと相対する図５上側の内面１２９ｃ（以下、上面１２９ｃとよぶ）から凸に設けられかつ弾性片１２２と当接して弾性片１２２の過度の弾性変形を規制する規制突部１２３と、を備えている。
【０００５】
筒部１２１は、底壁１２４と、底壁１２４に連なりかつ底壁１２４から互いに反対方向に延びた一対の連結壁１２５ａ、１２５ｂと、を備えている。一対の連結壁１２５ａ、１２５ｂ同士はぞれぞれ互いに近づく方向に折り曲げられて、底壁１２４と直交する側部１２８ａ、１２８ｂと、側部１２８ａ、１２８ｂと直交しかつ底壁１２４と相対する上部１２９ａ、１２９ｂと、を形成する。筒部１２１は、側部１２８ａ、１２８ｂ同士が互いに相対しかつ上部１２９ａ、１２９ｂ同士が互いに重なり合って筒状に形成されている。
【０００６】
弾性片１２２は、筒部１２１の上面１２９ｃに近づく方向に弾性変形自在に設けられている。弾性片１２２は、雄型の端子金具が筒部１２１内に挿入されると、上面１２９ｃに近づく方向に弾性変形するとともに弾性復元力によって雄型の端子金具を筒部１２１の底面１２７ａに向かって付勢して、底面１２７ａとの間に雄型の端子金具を挟んで雄型の端子金具を筒部１２１内に保持する。
【０００７】
規制突部１２３は、過度に弾性変形した弾性片１２２と当接するように設けられている。例えば、筒部１２１内に雄型の端子金具が斜め（図５中、紙面手前下方から紙面奥側上方）に挿入された際や誤って端子金具より大きな治具等が挿入された際に、弾性片１２２が大きく弾性変形しようとすると規制突部１２３が弾性変形した弾性片１２２と当接して過度の弾性変形が規制され、弾性片１２２の永久変形や破損が防止される。
【特許文献１】特開２００２−１８４５００号公報
【発明の開示】
【発明が解決しようとする課題】
【０００８】
一方、前述したように弾性片が規制突部と当接することによって、筒部に、筒部を内側から外側に広げる力が伝わることになる。このような力に対して筒部の中心軸から上部へと向かう方向においては、上部が重なり合う構造であるので比較的大きな力に耐えることができる。一方、筒部の中心軸から側部へと向かう方向においては、それぞれの側部が力を受けることによって上部が互いに離れる方向に変位して筒部が開いて歪んでしまう虞があった（図５中、点線で示す）。そして、筒部に雄型の端子金具を挿入できなくなったり、弾性片が雄型の端子金具を挟持できなくなったりする虞があった。
【０００９】
したがって、本発明の目的は、相手方の端子金具等の挿入による電気接触部の変形を防止し、相手方の端子金具との電気的な接続を確実に維持できる端子金具を提供することにある。
【課題を解決するための手段】
【００１０】
前記課題を解決し目的を達成するために、請求項１に記載の本発明の端子金具は、相手方の端子金具が挿入される筒部と、前記筒部内に設けられかつ前記相手方の端子金具を前記筒部の一つの内面に向かって付勢してこの一つの内面との間に挟む弾性片と、前記筒部の前記一つの内面と相対する他の内面から凸に設けられかつ前記弾性片と当接して前記弾性片の過度の弾性変形を規制する規制突部と、を有する電気接触部を備えた端子金具において、前記筒部が、壁と、前記壁に連なりかつ前記壁から互いに反対方向に延びた一対の連結壁と、を備え、前記一対の連結壁同士が互いに近づく方向に折り曲げられかつ前記一対の連結壁の先端部同士が互いに重なり合って筒状に形成されるとともに、互いに重なり合う前記一対の連結壁の先端部が互いに離れる方向に前記連結壁が変位するのを規制する変位規制手段を備えたことを特徴としている。
【００１１】
請求項２に記載の本発明の端子金具は、請求項１に記載の端子金具において、前記変位規制手段が、前記一対の連結壁の一方の連結壁の先端部に設けられかつ前記一方の連結壁の先端部から他方の連結壁の先端部に向かって突出した突出片と、前記他方の連結壁の先端部に設けられかつ前記突出片が挿入される孔と、を備えたことを特徴としている。
【００１２】
請求項３に記載の本発明の端子金具は、請求項２に記載の端子金具において、前記一方の連結壁の先端部が前記他方の連結壁の先端部に重ねられて、前記突出片が前記筒部の前記他の内面から前記一つの内面に向かって突出するように前記孔に挿入されることを特徴としている。
【００１３】
請求項１に記載した本発明の端子金具によれば、筒部が、壁と、壁に連なりかつ壁から互いに反対方向に延びた一対の連結壁と、を備え、一対の連結壁同士が互いに近づく方向に折り曲げられかつ一対の連結壁の先端部同士が互いに重なり合って筒状に形成されるとともに、互いに重なり合う一対の連結壁の先端部が互いに離れる方向に連結壁が変位するのを規制する変位規制手段を備えている。このため、筒部を内側から外側に広げる力が生じても、変位規制手段によって互いに重なり合う一対の連結壁の先端部が離れることはない。
【００１４】
請求項２に記載した本発明の端子金具によれば、変位規制手段が、一対の連結壁の一方の連結壁の先端部に設けられかつ一方の連結壁の先端部から他方の連結壁の先端部に向かって突出した突出片と、他方の連結壁の先端部に設けられかつ突出片が挿入される孔と、を備えている。このため、筒部を内側から外側に広げる力が生じても、突出片が孔の内面と当接するので互いに重なり合う一対の連結壁の先端部が離れることはない。
【００１５】
請求項３に記載した本発明の端子金具によれば、一方の連結壁の先端部が他方の連結壁の先端部に重ねられて、突出片が筒部の他の内面から一つの内面に向かって突出するように孔に挿入される。このため、突出片は、他の内面から凸に設けられた規制突部と同様に筒部内で他の内面から一つの内面に向かう方向に突出する。
【発明の効果】
【００１６】
以上説明したように、請求項１に記載の本発明は、筒部が、壁と、壁に連なりかつ壁から互いに反対方向に延びた一対の連結壁と、を備え、一対の連結壁同士が互いに近づく方向に折り曲げられかつ一対の連結壁の先端部同士が互いに重なり合って筒状に形成されるとともに、互いに重なり合う一対の連結壁の先端部が互いに離れる方向に連結壁が変位するのを規制する変位規制手段を備えている。このため、筒部を内側から外側に広げる力が生じても、変位規制手段によって互いに重なり合う一対の連結壁の先端部が離れることはない。したがって、電気接触部の変形を防止することができ、端子金具同士の電気的な接続を確実に維持することができる。また、相手方の端子金具を電気接触部に繰り返し挿抜しても端子金具同士を安定して電気的に接続することができる。
【００１７】
請求項２に記載の本発明は、変位規制手段が、一対の連結壁の一方の連結壁の先端部に設けられかつ一方の連結壁の先端部から他方の連結壁の先端部に向かって突出した突出片と、他方の連結壁の先端部に設けられかつ突出片が挿入される孔と、を備えている。このため、筒部を内側から外側に広げる力が生じても、突出片が孔の内面及び縁と当接するので互いに重なり合う一対の連結壁の先端部が離れることはない。したがって、簡単な構造で電気接触部の変形を防止することができ、端子金具同士の電気的な接続を確実に維持できる。
【００１８】
請求項３に記載の本発明は、一方の連結壁の先端部が他方の連結壁の先端部に重ねられて、突出片が筒部の他の内面から一つの内面に向かって突出するように孔に挿入される。このため、突出片は、他の内面から凸に設けられた規制突部と同様に筒部内で他の内面から一つの内面に向かう方向に突出する。したがって、筒部内の規制突部が突出するスペースを有効に活用することができ、端子金具を小型化することができる。
【発明を実施するための最良の形態】
【００１９】
以下、本発明の一実施形態にかかる端子金具１を図１ないし図４を参照して説明する。本発明の一実施形態にかかる端子金具１は、コネクタのコネクタハウジング内に収容され、該コネクタと相手方のコネクタとが嵌合することによって、相手方コネクタのコネクタハウジング内に収容された相手方の端子金具と電気的に接続される。
【００２０】
端子金具１は、導電性の一枚の板金を折り曲げる等して形成されている。端子金具１は、図１等に示すように、長手方向の一端に設けられた電気接触部２と、長手方向の他端に設けられかつ電線が取り付けられる電線接続部３と、変位規制手段４と、を一体に備えている。
【００２１】
電気接触部２は、図４に示すように、相手方の端子金具が挿入される筒部２１と、筒部２１内に設けられかつ相手方の端子金具を筒部２１の一つの内面（即ち、後述する接触片２７の弾性片２２と相対する面２７ａ）に向かって付勢して接触片２７との間に挟む弾性片２２と、面２７ａと相対する筒部２１の他の内面（即ち、後述する他方の上部２９ｂの弾性片２２と相対する面２９ｃ）から凸に設けられかつ弾性片２２と当接して弾性片２２の過度の弾性変形を規制する規制突部２３と、を備えている。
【００２２】
筒部２１は、壁としての底壁２４と、底壁２４に連なりかつ底壁２４から互いに反対方向に延びた一対の連結壁２５ａ、２５ｂと、を備え、連結壁２５ａ、２５ｂ同士が互いに近づく方向に折り曲げられかつ一対の連結壁２５ａ、２５ｂの先端部としての後述する上部２９ａ、２９ｂ同士が互いに重なり合って筒状に形成されている。筒部２１の電線接続部３から離れた開口部２６には、相手方の端子金具が挿入される。
【００２３】
底壁２４は、平面形状が略矩形状に形成されている。底壁２４は、図３に示すように、接触片２７を備えている。接触片２７は、底壁２４の弾性片２２と相対する面から凸に設けられ、底壁２４の幅方向の中央に底壁２４の長手方向に沿って設けられている。接触片２７は、弾性片２２との間に相手方の端子金具を挟み込んで保持する。
【００２４】
連結壁２５ａ、２５ｂは、それぞれ、平面形状が略矩形状に形成され、底壁２４の幅方向の両端に設けられている。連結壁２５ａ、２５ｂは、図４に示すように、それぞれ、底壁２４と直交する側部２８ａ、２８ｂと、側部２８ａ、２８ｂに連なるとともに側部２８ａ、２８ｂと直交しかつ底壁２４と平行な上部２９ａ、２９ｂと、を備えている。
【００２５】
側部２８ａ、２８ｂは、連結壁２５ａ、２５ｂを互いに同じ方向かつ底壁２４と直交するように折り曲げて形成されている。側部２８ａ、２８ｂは、平面形状が略矩形状に形成され、底壁２４と略同じ長さで形成されている。側部２８ａ、２８ｂは、互いに間隔をあけて相対し互いに平行に設けられている。
【００２６】
上部２９ａ、２９ｂは、前述のように折り曲げた連結壁２５ａ、２５ｂをさらに互いに近づく方向かつ底壁２４と平行になるように折り曲げて形成されている。上部２９ａ、２９ｂは、平面形状が略矩形状に形成され、底壁２４と略同じ長さで形成されている。上部２９ａ、２９ｂは、互いに重なり合って底壁２４と平行に配置されるとともに、一方の上部２９ａは底壁２４から離れて配置され、他方の上部２９ｂは底壁２４寄りに配置される。他方の上部２９ｂは、図３に示すように、弾性片２２を備えている。
【００２７】
弾性片２２は、帯板状に形成され、他方の上部２９ｂの開口部２６寄りの端部に連なるとともに、該端部から他方の上部２９ｂの長手方向に沿って筒部２１内に延設されている。弾性片２２は、筒部２１内で接触片２７と相対するように設けられている。弾性片２２は、他方の上部２９ｂへ近づく方向に弾性変形自在に設けられている。
【００２８】
規制突部２３は、図４に示すように、断面形状が略Ｖ字状に形成されている。規制突部２３は、他方の上部２９ｂの幅方向の中央に、他方の上部２９ｂの長手方向に沿って設けられている。規制突部２３は、図２に示すように、後述する貫通孔４２ａ、４２ｂの間に配置され、開口部２６寄りに設けられた一方の貫通孔４２ａの開口部２６から離れた外縁に連なるように設けられている。規制突部２３の筒部２１内への突出量は、一方の貫通孔４２ａから離れるにしたがって小さくなるように設けられている。
【００２９】
前述した構成の規制突部２３は、弾性片２２と間隔をあけて配置され、弾性片２２が弾性変形しても通常は規制突部２３と当接しない。規制突部２３は、例えば筒部２１に斜めに傾いて挿入された雄型の端子金具に押し上げられる等して一定以上に大きく弾性変形した弾性片２２と当接し、弾性片２２の過度の弾性変形を規制することによって弾性片２２の永久変形や破損を防止する。
【００３０】
前述した構成の電気接触部２は、開口部２６から相手方の端子金具の端部に設けられたタブが挿入される。タブは、棒状または板状に形成され、相手方コネクタのコネクタハウジング内に収容されるとともに嵌合するコネクタに相対する方向に突出して設けられている。タブは、コネクタと相手方のコネクタとが嵌合すると端子金具１の筒部２１内に挿入される。すると、弾性片２２が他方の上部２９ｂに近づく方向に弾性変形するとともに弾性復元力によってタブを接触片２７に向かって付勢して、接触片２７との間にタブを挟んで筒部２１内に保持する。
【００３１】
電線接続部３は、図１に示すように、底板部３１と、底板部３１に連なる複数のかしめ片３２（図１には一部を示す）と、を備えている。底板部３１は、電気接触部２の底壁２４及び側部２８ａ、２８ｂの開口部２６から離れた端部に連なって設けられている。底板部３１は、長手方向の断面形状が略Ｕ字状に湾曲して形成され、内側に端子金具１に接続される電線を位置付ける。
【００３２】
かしめ片３２は、底板部３１の幅方向の端部に複数設けられている。かしめ片３２は、それぞれ、底板部３１に近づく方向に曲げられて底板部３１との間に電線を挟み、電線をかしめる。かしめ片３２が電線をかしめることで、電線接続部３に電線が取り付けられるとともに端子金具１と電線とが電気的に接する。
【００３３】
変位規制手段４は、互いに重なり合う一対の連結壁２５ａ、２５ｂの上部２９ａ、２９ｂが互いに離れる方向に連結壁２５ａ、２５ｂが変位するのを規制する。変位規制手段４は、図４等に示すように、一方の上部２９ａに設けられかつ一方の上部２９ａから他方の上部２９ｂに向かって突出した突出片４１と、他方の上部２９ｂに設けられかつ突出片４１が挿入される孔としての貫通孔４２と、を備えている。
【００３４】
突出片４１は、図１に示すように、一方の上部２９ａに一対設けられ、平面形状が略矩形状に形成されている。突出片４１は、一方の上部２９ａの側部２８ａから離れた端部に設けられ、互いに間隔をあけて配置されている。突出片４１は、前述した端部から側部２８ａに近づく方向に形成された一対の切り込みの間の該端部を他方の上部２９ｂに近づく方向に折り曲げて形成されることによって、他方の上部２９ｂに向かって突出して設けられている。
【００３５】
貫通孔４２は、図２に示すように、他方の上部２９ｂを貫通して一対設けられている。貫通孔４２は、平面形状が略矩形状に形成され、突出片４１を挿入可能な大きさに設けられている。貫通孔４２は、突出片４１に対応する位置に設けられ、他方の上部２９ｂの幅方向の中央に他方の上部２９ｂの長手方向に沿って互いに間隔をあけて並んで設けられている。貫通孔４２には、一対の上部２９ａ、２９ｂが重なり合って電気接触部２が組み立てられると、突出片４１が挿入される。
【００３６】
前述した構成の変位規制手段４では、突出片４１が貫通孔４２の内側に向かって折り曲げられて、筒部２１の面２９ｃから面２７ａに向かって突出するように貫通孔４２に挿入される。上部２９ａ、２９ｂが互いに離れる方向（図４中、左右方向）に連結壁２５ａ、２５ｂが変位しようとすると、突出片４１の他方の上部２９ｂ寄りの内面が貫通孔４２の側部２８ｂから離れた内面及び縁に当接して連結壁２５ａ、２５ｂの変位が規制され、上部２９ａ、２９ｂは重なり合った状態を保持する。
【００３７】
前述した構成の端子金具１に相手方の端子金具を接続する際には、まず、それぞれの端子金具１をそれぞれのコネクタのコネクタハウジング内に収容し、コネクタ同士を嵌合させて前述のように端子金具１の電気接触部２に相手方の端子金具のタブを挿入する。タブは、前述のように電気接触部２内に挿入されて弾性片２２を弾性変形させるとともに弾性片２２の弾性復元力によって弾性片２２と接触片２７との間に挟持されて電気接触部２内に保持され、端子金具同士は電気的に接続する。
【００３８】
電気接触部２にタブが挿入された際や誤って端子金具１より大きな治具等が挿入された際に弾性片２２が大きく弾性変形しようとすると、前述のように弾性片２２が規制突部２３と当接して弾性片２２の過度の弾性変形は規制される。そして弾性片２２が規制突部２３と当接することによって、筒部２１に、筒部２１を内側から外側に広げる力が伝わることになる。
【００３９】
このような力に対して、電気接触部２の中心軸から上部２９ａ、２９ｂへと向かう方向においては、上部２９ａ、２９ｂが重なり合うように配置されており電気接触部２は変形しにくい構成となっている。
【００４０】
一方、電気接触部２の中心軸からそれぞれの側部２８ａ、２８ｂへと向かう方向においては、それぞれの側部２８ａ、２８ｂが力を受けて上部２９ａ、２９ｂが互いに離れる方向に変位し筒部２１を開こうとする力がかかるが、前述のように貫通孔４２に挿入された突出片４１が貫通孔４２の内面及び縁に当接するので上部２９ａ、２９ｂは重なり合った状態を保持し電気接触部２が変形することはない。
【００４１】
以上のように、電気接触部２を内側から外側に広げる力が発生しても電気接触部２は変形することはなく、相手方の端子金具を確実に保持して端子金具同士の電気的な接続を維持し、また挿抜が繰り返されても安定して端子金具同士の電気的な接続を維持する。
【００４２】
本実施形態によれば、筒部２１が、底壁２４と、底壁２４に連なりかつ底壁２４から互いに反対方向に延びた一対の連結壁２５ａ、２５ｂと、を備え、一対の連結壁２５ａ、２５ｂ同士が互いに近づく方向に折り曲げられかつ一対の連結壁２５ａ、２５ｂの上部２９ａ、２９ｂ同士が互いに重なり合って筒状に形成されるとともに、互いに重なり合う一対の連結壁２５ａ、２５ｂの上部２９ａ、２９ｂが互いに離れる方向に連結壁２５ａ、２５ｂが変位するのを規制する変位規制手段４を備えている。このため、筒部２１を内側から外側に広げる力が生じても、変位規制手段４によって互いに重なり合う一対の連結壁２５ａ、２５ｂの上部２９ａ、２９ｂが離れることはない。したがって、電気接触部２の変形を防止することができ、端子金具同士の電気的な接続を確実に維持することができる。また、相手方の端子金具を電気接触部２に繰り返し挿抜しても端子金具同士を安定して電気的に接続することができる。
【００４３】
変位規制手段４が、一方の上部２９ａに設けられかつ一方の上部２９ａから他方の上部２９ｂに向かって突出した突出片４１と、他方の上部２９ｂに設けられかつ突出片４１が挿入される貫通孔４２と、を備えている。このため、筒部２１を内側から外側に広げる力が生じても、突出片４１が貫通孔４２の内面及び縁と当接するので互いに重なり合う一対の連結壁２５ａ、２５ｂの上部２９ａ、２９ｂが離れることはない。したがって、簡単な構造で電気接触部２の変形を防止することができ、端子金具同士の電気的な接続を確実に維持できる。
【００４４】
一方の上部２９ａが他方の上部２９ｂに重ねられて、突出片４１が筒部２１の面２９ｃから面２７ａに向かって突出するように貫通孔４２に挿入される。このため、突出片４１は、面２９ｃから凸に設けられた規制突部２３と同様に筒部２１内で面２９ｃから面２７ａに向かう方向に突出する。したがって、筒部２１内の規制突部２３が突出するスペースを有効に活用することができ、端子金具１を小型化することができる。
【００４５】
本実施形態においては、二つの突出片４１及び二つの貫通孔４２が設けられていた。しかしながら、本発明では、突出片４１及び貫通孔４２の数は限定されず、例えば一つや三つでもよい。
【００４６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４７】
【図１】本発明の一実施形態にかかる端子金具を示す斜視図である。
【図２】図１に示された端子金具の一部を切り欠いて示す斜視図である。
【図３】図１中のIII−III線に沿った断面図である。
【図４】図１中のIV−IV線に沿った断面図である。
【図５】従来の端子金具を示す断面図である。
【符号の説明】
【００４８】
１    端子金具
２    電気接触部
４    変位規制手段
２１    筒部
２２    弾性片
２３    規制突部
２４    底壁（壁）
２５ａ、２５ｂ    連結壁
２７ａ    面（一つの内面）
２９ａ、２９ｂ    上部（先端部）
２９ｃ    面（他の内面）
４１    突出片
４２ａ、４２ｂ（４２）    貫通孔（孔）
【図１】
2008198475.tif 000003
【図２】
2008198475.tif 000004
【図３】
2008198475.tif 000005
【図４】
2008198475.tif 000006
【図５】
2008198475.tif 000007